(57)【要約】      （修正有）【課題】体を横たわらせたときの感触が柔らかく長時間の使用においても体が痛くならず、かつ接触面積が可及的に大きくなる温熱浴用の温熱床を得ること、そして温熱床の衛生管理などの取り扱いを容易にすることを課題とするものである。【解決手段】加熱により遠赤外線を放射する粒体３をふとん側状の袋体２に封入して温熱浴用マット１を構成するものである。この温熱用マットをオンドルの上に敷き、温熱床として使用する。【選択図】  図１
2007289253.tif 000002
【特許請求の範囲】
【請求項１】
加熱により遠赤外線を放射する粒体をふとん側状の袋体に封入した、温熱浴用マット
【請求項２】
粒体は岩石又は鉱石を粉砕した後、球状に固めたものとした、請求項１記載の温熱浴用マット
【請求項３】
粒体は複数の大きさをした、請求項1又は２に記載の温熱浴用マット
【請求項４】
袋体の大きさは、複数枚を敷き並べて大人が一人横たわることのできる大きさとした、請求項１又は２に記載の温熱浴用マット
【請求項５】
掛けふとん側状の袋体に加熱により遠赤外線を放射する粒体が封入され、キルティング加工が施された上掛けシートと、請求項１ないし３の何れかに記載された温熱浴用マットとを組み合わせてなる温熱浴具
【発明の詳細な説明】
【技術分野】
【０００１】
この発明は、岩盤浴のような遠赤外線効果が得られる温熱浴のために使用される、温熱浴用マットに関するものである。
【背景技術】
【０００２】
温熱浴としては高温サウナが代表的であるが、高温・乾燥を嫌う人がいる。岩盤浴はサウナと異なり、比較的低温（室温約４０度、岩盤面約５０度）でかつ湿度が高い（約７０ないし９０％）こと、高温サウナとは違うサラサラとした発汗が支持されて近年広く普及している。
ところで、岩盤浴は硬い岩盤の上にうつ伏せに寝る。岩盤の上に寝るということは舗装された路上に寝るのと同じことであり、数分で首が痛くなる。また、平板な岩盤の上に寝るのであるから、体と岩盤との間には隙間が生じざるを得ない。
【０００３】
体が痛くなる、体と岩盤との間に隙間が生ずる、という問題を解決するためには、岩盤を粉砕した粉末を用いることも考えられる。
【特許文献１】特開２００６−０２５８７２号公報  上記公報には、溶岩由来の粒体ないし粉末を得てこれを岩盤浴用基材として浴室などの敷設して使用する発明が開示されている。
【０００４】
上記特許文献に開示された手段によっても、体の痛さは解消し、体と岩盤（粒・粉）とは密着する。しかし、砂蒸し風呂のように粉粒体を敷き詰めた上に体を横たえると、体に粉粒体が付着して温熱床の粉粒体は減少する。そんためにきわめてコストの高いものとなってしまい実用的でない。
また、粒体や粉末を床に敷き詰めて温熱床を構成する場合、衛生管理も大きな問題となる。砂蒸し風呂は外に設置されるので太陽光により消毒される。しかし、岩盤浴は室内である。岩盤の上面に寝るものであれば、岩盤の上面を常時清潔に保てばよいので、困難なことはない。しかし、温熱床を粒体や粉体とした場合は、これを床面から引き上げて殺菌処理や付着した老廃物・汗の処理をしなければならない。
【発明の開示】
【発明が解決しようとする課題】
【０００５】
この発明は、体を横たわらせたときの感触が柔らかく長時間の使用においても体が痛くならず、かつ接触面積が可及的に大きくなる温熱浴用の温熱床を得ること、そして温熱床の衛生管理などの取り扱いを容易にすることを課題とするものである。
【課題を解決するための手段】
【０００６】
請求項１の発明は、加熱により遠赤外線を放射する粒体をふとん側状の袋体に封入して温熱浴用マットを構成するものである。この温熱用マットをオンドルの上に敷き、温熱床として使用する。
前記加熱により遠赤外線を放射するとは、温熱床としての適温である４０度Ｃないし５５度Ｃ程度に粒体を加熱したときに遠赤外線を放射することをいう。そして、放射する遠赤外線の波長は好ましくは６ないし２４ミクロン、そして８ないし１４ミクロンが最適である。
前記遠赤外線を放射する粒体は、例えば岩石又はトルマリンなどの鉱石、炭（ブナ、ナラ、竹など）、さんごの死骸などを粉砕したものを使用する。前記岩石としては九州祖母山で採掘される岩石（商品名ＳＧＥ）、韓国で採掘される岩石（商品名サン・セラックス）などが代表的である。
【０００７】
前記粒体は、粉体を含み直径２センチ程度のものまでを含む概念として使用する。そして、粉体は岩石などを粉砕したものでもよいが、粒体は岩石又は鉱石を粉砕した後、接着剤などで球状に固めたものとすると使用者に与える触感が向上する（請求項２）。
また、岩石などを粉砕した後１０００度Ｃ以上の高温で焼成し、これを球状に固めた後再度焼成したものを使用すると、遠赤外線の放射量が増大する。
さらに、袋体の中に大小複数の大きさの粒体を封入すると、使用者にツボ押し効果を与えることができる（請求項３）。
前記袋体の大きさは、複数枚を敷き並べて大人が一人横たわることのできる大きさが取り扱いの便から適当である（請求項４）。なお、厚さは５センチ程度が適当である。
【０００８】
請求項５の発明は、掛けふとん側状の袋体に加熱により遠赤外線を放射する粒体を封入し、袋体にキルティング加工を施して上掛けシートを構成し、この掛布と前記温熱浴用マットとを組み合わせて温熱浴具としたものである。
【発明の効果】
【０００９】
この発明によれば、岩の粉粒体を袋体に封入したマットの上に体を横たえて温熱浴を行うこととなる。マットには粉粒体が封入されているので、マットの形状は人体の形状に合わせて変形する。したがって、長時間の使用においても体が痛くなることはなく、人体との接触面積も増大する。
また、粉粒体は袋体に封入されているので、人体が粉末に直接接触することはない。したがって、粉粒体が体に付着したり、粉粒体への老廃物の付着はあまり問題とならないが、粉粒体を袋単位で管理できるので粉粒体の洗浄なども容易に行うことができる。また、人体が接触する袋体は通常の手段で洗濯・滅菌することにより清潔に保持することができる。
【００１０】
請求項５の発明の上掛けシートは、数十度に予熱して使用することが好ましい。この発明によれば、人体を温熱マットと上掛けシートとで挟み込むので、サンドバスと同様に体の外側全体に向けて遠赤外線を放射することができる。
【発明を実施するための最良の形態】
【００１１】
遠赤外線を放射する粒体１を袋体２収納して温熱浴用マット３を構成する。
【００１２】
前記粒体１は、ＳＧＥの岩盤を微粒子状に粉砕し、これを１５００度Ｃで焼成し田後接着剤で直径２ないし１０ミリのセラミックスボールとし、更に焼成したものである。この粒体１は、複数の直径のものを用意する。
【００１３】
前記袋体２は、縦横それぞれ数十センチ程度の座布団の布団側状のものである。その素材の選択は、熱伝導性がよいこと、清潔性（汗や人体からの老廃物を除去しやすく、かつこれらを中に通さない）を最大のポイントとし、他に耐久性、加工性、感触、ファッション性などを加味して行う。
袋体２の側部にはファスナー４を取り付け、随時粒体１を出し入れできるようにしてある。
【００１４】
前記粒体１を袋体２に収納して構成されるマット３の厚さは５ないし１０センチ程度とする。
出来上がったマット３の大きさが６０センチ×５０センチ×５センチの場合、マット３の体積は約１５，０００立方センチであり、粒体１の比重を１．３とすると、マット３の重さは１９．５キログラムであり、容易に運搬することができる。  
【００１５】
図中符号５は上掛けシートであり、人体を覆うことのできる大きさの袋体６に前記粒体１を収納し、粒体１の偏在を防止するためにキルティング加工を施してある。この上掛けシート５の厚さは数ミリ以下で足りる。また、上掛けシートはツボ押し効果を得ることはできないので、しなやかさを得るために小径の粒体を使用することが好ましい。
【００１６】
上記のように構成された温熱浴用マット３を縦に数枚並べてオンドル７の上に敷き、温熱床として使用する。また、同様の構成で枕用のものを作り、併用することもできる。このマット３のみで使用することも可能であるが、前記上掛けシート５を併用するとより効果的である。
【００１７】
このマット３の使用上の効果は以下のとおりである。
粉粒体１を袋体２に収納した構成であるから、使用者が上記温熱床に寝るとマット３は使用者の体の線に沿って変形する。したがって、平な岩盤の上に寝るのと異なり、柔らかな感触が得られ、かつマットと人体との間に生じる間隙も可及的に少なくすることができる。そのために、使用者にとって心地よく、熱の無駄のない温熱浴が可能となる。
上記においては、袋体の素材として汗や老廃物を中に通さない素材を使用することにより、袋体の表面を清拭することによって温熱床の表面を清潔に保つことができる。そして、１つのマットは２０キログラム程度であるから、その運搬も容易であって必要により天日干しをすることもできる。
【００１８】
上記マット１と併せて上掛けシート５を使用する場合は、上掛けシート５を数十度に予熱して遠赤外線が放射される状態として、毛布のように人体を覆う。このようにすると、人体の外周は全て遠赤外線を放射する粒体で覆われることとなり、遠赤外線効果が向上する。
【産業上の利用可能性】
【００１９】
この発明によれば、遠赤外線を放射する粒体を袋体に収納して温熱マットを構成し、これを敷き詰めて温熱床を構成するので、従来の岩盤浴における寝たときの痛さ、間隙による熱効率の悪さが解消されるのみならず、粒体の上に直接寝るようにした温熱床の問題点であったコストの問題、清潔保持の問題も解消されるものであって、産業上の利用可能性を有するものである。
【図面の簡単な説明】
【００２０】
【図１】この発明実施形態の温熱マットの一部を破断した斜視図
【図２】同じく粒体の斜視図
【図３】同じく上掛けシートの一部を破断した斜視図
【図４】同じく使用状態図
【符号の説明】
【００２１】
１    温熱マット
２    袋体
３    粒体
４    ファスナー
５    上掛けシート
６    袋体
７    オンドル
【図１】
2007289253.tif 000003
【図２】
2007289253.tif 000004
【図３】
2007289253.tif 000005
【図４】
2007289253.tif 000006